【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
アップリンク制御チャネル送信を使用してアップリンク制御情報（ＵＣＩ）を送信するためのＵＣＩフォーマットを識別することと、
前記識別されたＵＣＩフォーマットに少なくとも部分的に基づいて、構成されたアップリンク制御チャネルリソースのセットからアップリンク制御チャネルリソースの第１のサブセットを識別することと、構成されたアップリンク制御チャネルリソースの前記セットが、アップリンク制御チャネル周波数リソースの複数のサブセット、アップリンク制御チャネル時間リソースの複数のサブセット、またはそれらの組合せを含み、ここにおいて、構成されたアップリンク制御チャネルリソースの前記セットの異なるサブセットが異なるＵＣＩフォーマットに対応する、
アップリンク制御チャネルリソースの前記第１のサブセットを使用して前記ＵＣＩを通信することと
を備える、方法。
【請求項２】
構成されたアップリンク制御チャネルリソースの前記セットが、周波数リソースインターレースの第１のセットと周波数リソースインターレースセグメントの第１のセットとを備え、周波数リソースインターレースセグメントの前記第１のセットの各周波数リソースインターレースセグメントが、周波数リソースインターレースの前記第１のセットの周波数リソースインターレースのリソースの一部分を備え、
ここにおいて、アップリンク制御チャネルリソースの前記第１のサブセットを識別することが、前記識別されたＵＣＩフォーマットに少なくとも部分的に基づいて、周波数リソースインターレースセグメントの前記第１のセットの第１のサブセットを識別することを備える、請求項１に記載の方法。
【請求項３】
構成されたアップリンク制御チャネルリソースの前記セットが、複数のサブフレームのアップリンク制御チャネルリソースのサブセットを備え、異なるサブフレームのためのアップリンク制御チャネルリソースの前記サブセットが、異なるＵＣＩフォーマットのために構成され、
ここにおいて、アップリンク制御チャネルリソースの前記第１のサブセットを識別することが、前記識別されたＵＣＩフォーマットに少なくとも部分的に基づいて、第１のサブフレームのアップリンク制御チャネルリソースの第１のサブセットを識別することを備える、請求項１に記載の方法。
【請求項４】
構成されたアップリンク制御チャネルリソースの前記セットが、複数のアップリンクコンポーネントキャリアのアップリンク制御チャネルリソースのサブセットを備え、異なるアップリンクコンポーネントキャリアのためのアップリンク制御チャネルリソースの前記サブセットが、異なるＵＣＩフォーマットのために構成され、
ここにおいて、アップリンク制御チャネルリソースの前記第１のサブセットを識別することが、前記識別されたＵＣＩフォーマットに少なくとも部分的に基づいて、第１のコンポーネントキャリアのアップリンク制御チャネルリソースの第１のサブセットを識別することを備える、請求項１に記載の方法。
【請求項５】
前記アップリンク制御チャネル送信のための第１のアップリンク許可を受信することをさらに備え、前記第１のアップリンク許可がアップリンク制御チャネルリソースの前記第１のサブセットの割振りを含み、
ここにおいて、前記ＵＣＩを通信することが、前記第１のアップリンク許可中で割り振られたアップリンク制御チャネルリソースの前記第１のサブセットを使用して前記ＵＣＩを送信することを備える、
請求項１に記載の方法。
【請求項６】
前記ＵＣＩを送信するための前記ＵＣＩフォーマットを示すシグナリングを受信すること
をさらに備え、
ここにおいて、前記ＵＣＩを通信することが、前記示されたＵＣＩフォーマットを使用して前記ＵＣＩを送信することを備える、
請求項１に記載の方法。
【請求項７】
前記シグナリングが、物理ダウンリンク制御チャネル（ＰＤＣＣＨ）シグナリング中で、またはアップリンク許可中で受信される、請求項６に記載の方法。
【請求項８】
構成されたアップリンクリソースの前記セットが共有無線周波数スペクトル帯域中にある、請求項１に記載の方法。
【請求項９】
ワイヤレス通信のための方法であって、
アップリンク制御チャネル送信中でアップリンク制御情報（ＵＣＩ）を送信するための複数の異なるＵＣＩフォーマットを識別することと、
前記複数の異なるＵＣＩフォーマットの各々について、アップリンク制御チャネルリソースのセットからアップリンク制御チャネルリソースの異なるサブセットを構成することと、ここにおいて、アップリンク制御チャネルリソースの各サブセットが、アップリンク制御チャネル周波数リソースのサブセット、アップリンク制御チャネル時間リソースのサブセット、またはそれらの組合せを備える、
アップリンク制御チャネルリソースの前記構成されたサブセットを１つまたは複数の受信機に通信することと
を備える、方法。
【請求項１０】
アップリンク制御チャネルリソースの各サブセットが、周波数リソースインターレースのセットと周波数リソースインターレースセグメントのセットとを備え、周波数リソースインターレースセグメントの前記セットの各周波数リソースインターレースセグメントが、周波数リソースインターレースの前記セットの周波数リソースインターレースのリソースの一部分を備える、請求項９に記載の方法。
【請求項１１】
アップリンク制御チャネルリソースの各サブセットが、複数のサブフレームのうちの異なるサブフレームのアップリンク制御チャネルリソースのサブセットを備え、ここにおいて、アップリンク制御チャネルリソースの前記異なるサブセットを構成することが、
異なるＵＣＩフォーマットのために前記異なるサブフレームのためのアップリンク制御チャネルリソースの前記サブセットを構成すること
を備える、請求項９に記載の方法。
【請求項１２】
アップリンク制御チャネルリソースの各サブセットが、異なるアップリンクコンポーネントキャリアのアップリンク制御チャネルリソースのサブセットを備え、ここにおいて、アップリンク制御チャネルリソースの前記異なるサブセットを構成することが、
異なるＵＣＩフォーマットのために前記異なるアップリンクコンポーネントキャリアのためのアップリンク制御チャネルリソースの前記サブセットを構成すること
を備える、請求項９に記載の方法。
【請求項１３】
ワイヤレス通信のための装置であって、
アップリンク制御チャネル送信を使用してアップリンク制御情報（ＵＣＩ）を送信するためのＵＣＩフォーマットを識別するための手段と、
前記識別されたＵＣＩフォーマットに少なくとも部分的に基づいて、構成されたアップリンク制御チャネルリソースのセットからアップリンク制御チャネルリソースの第１のサブセットを識別するための手段と、構成されたアップリンク制御チャネルリソースの前記セットが、アップリンク制御チャネル周波数リソースの複数のサブセット、アップリンク制御チャネル時間リソースの複数のサブセット、またはそれらの組合せを含み、ここにおいて、構成されたアップリンク制御チャネルリソースの前記セットの異なるサブセットが異なるＵＣＩフォーマットに対応する、
アップリンク制御チャネルリソースの前記第１のサブセットを使用して前記ＵＣＩを通信するための手段と
を備える、装置。
【請求項１４】
ワイヤレス通信のための装置であって、
アップリンク制御チャネル送信中でアップリンク制御情報（ＵＣＩ）を送信するための複数の異なるＵＣＩフォーマットを識別するための手段と、
前記複数の異なるＵＣＩフォーマットの各々について、アップリンク制御チャネルリソースのセットからアップリンク制御チャネルリソースの異なるサブセットを構成するための手段と、ここにおいて、アップリンク制御チャネルリソースの各サブセットが、アップリンク制御チャネル周波数リソースのサブセット、アップリンク制御チャネル時間リソースのサブセット、またはそれらの組合せを備える、
アップリンク制御チャネルリソースの前記構成されたサブセットを１つまたは複数の受信機に通信するための手段と
を備える、装置。
【請求項１５】
請求項１〜８または９〜１２のいずれか一項に記載の方法を実施するための命令を備えるコンピュータプログラム。
【手続補正２】
【補正対象書類名】明細書
【補正対象項目名】０１６９
【補正方法】変更
【補正の内容】
【０１６９】
[0184]本明細書の開示に関して説明された様々な例示的なブロックおよびモジュールは、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェア構成要素、あるいは本明細書で説明される機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ（たとえば、ＤＳＰとマイクロプロセッサとの組合せ、複数のマイクロプロセッサ、ＤＳＰコアと連携する１つまたは複数のマイクロプロセッサ、または任意の他のそのような構成）としても実装され得る。したがって、本明細書で説明される機能は、１つまたは複数の他の処理ユニット（またはコア）によって、少なくとも１つの集積回路（ＩＣ）上で実施され得る。様々な例では、当技術分野で知られている任意の様式でプログラムされ得る、異なるタイプのＩＣ（たとえば、ストラクチャード／プラットフォームＡＳＩＣ、ＦＰＧＡ、または別のセミカスタムＩＣ）が使用され得る。各ユニットの機能はまた、全体的にまたは部分的に、１つまたは複数の汎用または特定用途向けプロセッサによって実行されるようにフォーマットされた、メモリ中に組み込まれた命令を用いて実装され得る。
以下に、本願の出願当初の特許請求の範囲に記載された発明を付記する。
［Ｃ１］
ワイヤレス通信のための方法であって、
アップリンク制御チャネル送信を使用してアップリンク制御情報（ＵＣＩ）を送信するためのＵＣＩフォーマットを識別することと、
前記識別されたＵＣＩフォーマットに少なくとも部分的に基づいて、構成されたアップリンク制御チャネルリソースのセットからアップリンク制御チャネルリソースの第１のサブセットを識別することと、構成されたアップリンク制御チャネルリソースの前記セットが、アップリンク制御チャネル周波数リソースの複数のサブセット、アップリンク制御チャネル時間リソースの複数のサブセット、またはそれらの組合せを含み、ここにおいて、構成されたアップリンク制御チャネルリソースの前記セットの異なるサブセットが異なるＵＣＩフォーマットに対応する、
アップリンク制御チャネルリソースの前記第１のサブセットを使用して前記ＵＣＩを通信することと
を備える、方法。
［Ｃ２］
構成されたアップリンク制御チャネルリソースの前記セットが、周波数リソースインターレースの第１のセットと周波数リソースインターレースセグメントの第１のセットとを備え、周波数リソースインターレースセグメントの前記第１のセットの各周波数リソースインターレースセグメントが、周波数リソースインターレースの前記第１のセットの周波数リソースインターレースのリソースの一部分を備え、
ここにおいて、アップリンク制御チャネルリソースの前記第１のサブセットを識別することが、前記識別されたＵＣＩフォーマットに少なくとも部分的に基づいて、周波数リソースインターレースセグメントの前記第１のセットの第１のサブセットを識別することを備える、Ｃ１に記載の方法。
［Ｃ３］
構成されたアップリンク制御チャネルリソースの前記セットが、複数のサブフレームのアップリンク制御チャネルリソースのサブセットを備え、異なるサブフレームのためのアップリンク制御チャネルリソースの前記サブセットが、異なるＵＣＩフォーマットのために構成され、
ここにおいて、アップリンク制御チャネルリソースの前記第１のサブセットを識別することが、前記識別されたＵＣＩフォーマットに少なくとも部分的に基づいて、第１のサブフレームのアップリンク制御チャネルリソースの第１のサブセットを識別することを備える、Ｃ１に記載の方法。
［Ｃ４］
構成されたアップリンク制御チャネルリソースの前記セットが、複数のアップリンクコンポーネントキャリアのアップリンク制御チャネルリソースのサブセットを備え、異なるコンポーネントキャリアのためのアップリンク制御チャネルリソースの前記サブセットが、異なるＵＣＩフォーマットのために構成され、
ここにおいて、アップリンク制御チャネルリソースの前記第１のサブセットを識別することが、前記識別されたＵＣＩフォーマットに少なくとも部分的に基づいて、第１のコンポーネントキャリアのアップリンク制御チャネルリソースの第１のサブセットを識別することを備える、Ｃ１に記載の方法。
［Ｃ５］
前記アップリンク制御チャネル送信のための第１のアップリンク許可を受信することをさらに備え、前記第１のアップリンク許可がアップリンク制御チャネルリソースの前記第１のサブセットの割振りを含み、
ここにおいて、前記ＵＣＩを通信することが、前記第１のアップリンク許可中で割り振られたアップリンク制御チャネルリソースの前記第１のサブセットを使用して前記ＵＣＩを送信することを備える、
Ｃ１に記載の方法。
［Ｃ６］
前記ＵＣＩを送信するための前記ＵＣＩフォーマットを示すシグナリングを受信すること
をさらに備え、
ここにおいて、前記ＵＣＩを通信することが、前記示されたＵＣＩフォーマットを使用して前記ＵＣＩを送信することを備える、
Ｃ１に記載の方法。
［Ｃ７］
前記シグナリングが、物理ダウンリンク制御チャネル（ＰＤＣＣＨ）シグナリング中で、またはアップリンク許可中で受信される、Ｃ６に記載の方法。
［Ｃ８］
第１のサブフレーム中で１次コンポーネントキャリアを使用して送信されるべきスケジューリング要求（ＳＲ）を識別することと、
バッファステータス報告（ＢＳＲ）が前記ＵＣＩ中に含まれ、前記第１のサブフレーム中で２次コンポーネントキャリアのアップリンク制御チャネルリソースの前記第１のサブセットを使用して送信されるべきであることを識別することに少なくとも部分的に基づいて、前記１次コンポーネントキャリアを使用する前記ＳＲの前記送信をドロップすることと
をさらに備える、Ｃ１に記載の方法。
［Ｃ９］
周期チャネル状態情報（ＣＳＩ）が前記ＵＣＩ中に含まれ、第１のサブフレーム中で送信されるべきであることを識別することと、
非周期ＣＳＩが、アップリンク制御チャネルリソースの前記第１のサブセットとは異なるリソースを使用して前記第１のサブフレーム中に送信されるべきであることを識別することと、
前記周期ＣＳＩのペイロードのサイズに少なくとも部分的に基づいて、前記ＵＣＩから前記周期ＣＳＩをドロップすることと
をさらに備える、Ｃ１に記載の方法。
［Ｃ１０］
構成されたコンポーネントキャリアの数、コンポーネントキャリア当たりのハイブリッド自動再送要求（ＨＡＲＱ）プロセスの数、またはそれらの任意の組合せに少なくとも部分的に基づいて、前記ＵＣＩ中に含まれるべきＨＡＲＱフィードバックビットの数を識別すること
をさらに備える、Ｃ１に記載の方法。
［Ｃ１１］
構成されたアップリンクリソースの前記セットが共有無線周波数スペクトル帯域中にある、Ｃ１に記載の方法。
［Ｃ１２］
ワイヤレス通信のための方法であって、
アップリンク制御チャネル送信中でアップリンク制御情報（ＵＣＩ）を送信するための複数の異なるＵＣＩフォーマットを識別することと、
前記複数の異なるＵＣＩフォーマットの各々について、アップリンク制御チャネルリソースのセットからアップリンク制御チャネルリソースの異なるサブセットを構成することと、ここにおいて、アップリンク制御チャネルリソースの各サブセットが、アップリンク制御チャネル周波数リソースのサブセット、アップリンク制御チャネル時間リソースのサブセット、またはそれらの組合せを備える、
アップリンク制御チャネルリソースの前記構成されたサブセットを１つまたは複数の受信機に通信することと
を備える、方法。
［Ｃ１３］
アップリンク制御チャネルリソースの各サブセットが、周波数リソースインターレースのセットと周波数リソースインターレースセグメントのセットとを備え、周波数リソースインターレースセグメントの前記セットの各周波数リソースインターレースセグメントが、周波数リソースインターレースの前記セットの周波数リソースインターレースのリソースの一部分を備える、Ｃ１２に記載の方法。
［Ｃ１４］
アップリンク制御チャネルリソースの各サブセットが、複数のサブフレームのうちの異なるサブフレームのアップリンク制御チャネルリソースのサブセットを備え、ここにおいて、アップリンク制御チャネルリソースの前記異なるサブセットを構成することが、
異なるＵＣＩフォーマットのために前記異なるサブフレームのためのアップリンク制御チャネルリソースの前記サブセットを構成すること
を備える、Ｃ１２に記載の方法。
［Ｃ１５］
アップリンク制御チャネルリソースの各サブセットが、異なるコンポーネントキャリアのアップリンク制御チャネルリソースのサブセットを備え、ここにおいて、アップリンク制御チャネルリソースの前記異なるサブセットを構成することが、
異なるＵＣＩフォーマットのために前記異なるコンポーネントキャリアのためのアップリンク制御チャネルリソースの前記サブセットを構成すること
を備える、Ｃ１２に記載の方法。
［Ｃ１６］
バッファステータス報告（ＢＳＲ）が前記ＵＣＩ中に含まれ、第１のサブフレーム中で送信されるべきであるという識別に少なくとも部分的に基づいて、前記第１のサブフレーム中の１次コンポーネントキャリアを使用するスケジューリング要求（ＳＲ）送信をドロップするように前記１つまたは複数の受信機を構成すること
をさらに備える、Ｃ１２に記載の方法。
［Ｃ１７］
周期チャネル状態情報（ＣＳＩ）のペイロードサイズと、非周期ＣＳＩが、アップリンク制御チャネルリソースの前記構成されたサブセットとは異なるリソースを使用して第１のサブフレーム中に送信されるべきであるという識別とに少なくとも部分的に基づいて、前記第１のサブフレーム中に前記ＵＣＩから前記周期ＣＳＩをドロップするように前記１つまたは複数の受信機を構成すること
をさらに備える、Ｃ１２に記載の方法。
［Ｃ１８］
アップリンク制御チャネルリソースの前記セットが共有無線周波数スペクトル帯域中にある、Ｃ１２に記載の方法。
［Ｃ１９］
ワイヤレス通信のための装置であって、
アップリンク制御チャネル送信を使用してアップリンク制御情報（ＵＣＩ）を送信するためのＵＣＩフォーマットを識別するための手段と、
前記識別されたＵＣＩフォーマットに少なくとも部分的に基づいて、構成されたアップリンク制御チャネルリソースのセットからアップリンク制御チャネルリソースの第１のサブセットを識別するための手段と、構成されたアップリンク制御チャネルリソースの前記セットが、アップリンク制御チャネル周波数リソースの複数のサブセット、アップリンク制御チャネル時間リソースの複数のサブセット、またはそれらの組合せを含み、ここにおいて、構成されたアップリンク制御チャネルリソースの前記セットの異なるサブセットが異なるＵＣＩフォーマットに対応する、
アップリンク制御チャネルリソースの前記第１のサブセットを使用して前記ＵＣＩを通信するための手段と
を備える、装置。
［Ｃ２０］
構成されたアップリンク制御チャネルリソースの前記セットが、周波数リソースインターレースの第１のセットと周波数リソースインターレースセグメントの第１のセットとを備え、周波数リソースインターレースセグメントの前記第１のセットの各周波数リソースインターレースセグメントが、周波数リソースインターレースの前記第１のセットの周波数リソースインターレースのリソースの一部分を含み、ここにおいて、アップリンク制御チャネルリソースの前記第１のサブセットが、前記識別されたＵＣＩフォーマットに少なくとも部分的に基づいて、周波数リソースインターレースセグメントの前記第１のセットの第１のサブセットとして識別される、Ｃ１９に記載の装置。
［Ｃ２１］
前記アップリンク制御チャネル送信のための第１のアップリンク許可を受信するための手段
をさらに備え、前記第１のアップリンク許可がアップリンク制御チャネルリソースの前記第１のサブセットの割振りを含み、前記第１のアップリンク許可中で割り振られたアップリンク制御チャネルリソースの前記第１のサブセットを使用して前記ＵＣＩを送信する、Ｃ１９に記載の装置。
［Ｃ２２］
前記ＵＣＩを送信するための前記ＵＣＩフォーマットを示すシグナリングを受信するための手段
をさらに備え、ここにおいて、前記ＵＣＩを通信することが、前記示されたＵＣＩフォーマットを使用して前記ＵＣＩを送信することを備える、Ｃ１９に記載の装置。
［Ｃ２３］
第１のサブフレーム中で１次コンポーネントキャリアを使用して送信されるべきスケジューリング要求（ＳＲ）を識別することをさらに備え、
バッファステータス報告（ＢＳＲ）が前記ＵＣＩ中に含まれ、前記第１のサブフレーム中で２次コンポーネントキャリアのアップリンク制御チャネルリソースの前記第１のサブセットを使用して送信されるべきであることを識別することに少なくとも部分的に基づいて、前記１次コンポーネントキャリアを使用する前記ＳＲの前記送信をドロップするための手段と
をさらに備える、Ｃ１９に記載の装置。
［Ｃ２４］
周期チャネル状態情報（ＣＳＩ）が前記ＵＣＩ中に含まれ、第１のサブフレーム中で送信されるべきであることを識別するための手段と、
非周期ＣＳＩが、アップリンク制御チャネルリソースの前記第１のサブセットとは異なるリソースを使用して前記第１のサブフレーム中に送信されるべきであることを識別するための手段と、
前記周期ＣＳＩのペイロードのサイズに少なくとも部分的に基づいて、前記ＵＣＩから前記周期ＣＳＩをドロップするための手段と
をさらに備える、Ｃ１９に記載の装置。
［Ｃ２５］
構成されたコンポーネントキャリアの数、コンポーネントキャリア当たりのハイブリッド自動再送要求（ＨＡＲＱ）プロセスの数、またはそれらの任意の組合せに少なくとも部分的に基づいて、前記ＵＣＩ中に含まれるべきＨＡＲＱフィードバックビットの数を識別するための手段
をさらに備える、Ｃ１９に記載の装置。
［Ｃ２６］
ワイヤレス通信のための装置であって、
アップリンク制御チャネル送信中でアップリンク制御情報（ＵＣＩ）を送信するための複数の異なるＵＣＩフォーマットを識別するための手段と、
前記複数の異なるＵＣＩフォーマットの各々について、アップリンク制御チャネルリソースのセットからアップリンク制御チャネルリソースの異なるサブセットを構成するための手段と、ここにおいて、アップリンク制御チャネルリソースの各サブセットが、アップリンク制御チャネル周波数リソースのサブセット、アップリンク制御チャネル時間リソースのサブセット、またはそれらの組合せを備える、
アップリンク制御チャネルリソースの前記構成されたサブセットを１つまたは複数の受信機に通信するための手段と
を備える、装置。
［Ｃ２７］
アップリンク制御チャネルリソースの各サブセットが、周波数リソースインターレースのセットと周波数リソースインターレースセグメントのセットとを備え、周波数リソースインターレースセグメントの前記セットの各周波数リソースインターレースセグメントが、周波数リソースインターレースの前記セットの周波数リソースインターレースのリソースの一部分を備える、Ｃ２６に記載の装置。
［Ｃ２８］
バッファステータス報告（ＢＳＲ）が前記ＵＣＩ中に含まれ、第１のサブフレーム中で送信されるべきであるという識別に少なくとも部分的に基づいて、前記第１のサブフレーム中の１次コンポーネントキャリアを使用するスケジューリング要求（ＳＲ）送信をドロップするように前記１つまたは複数の受信機を構成するための手段
をさらに備える、Ｃ２６に記載の装置。
［Ｃ２９］
周期チャネル状態情報（ＣＳＩ）のペイロードサイズと、非周期ＣＳＩが、アップリンク制御チャネルリソースの前記構成されたサブセットとは異なるリソースを使用して第１のサブフレーム中に送信されるべきであるという識別とに少なくとも部分的に基づいて、前記第１のサブフレーム中に前記ＵＣＩから前記周期ＣＳＩをドロップするように前記１つまたは複数の受信機を構成するための手段
をさらに備える、Ｃ２６に記載の装置。
［Ｃ３０］
アップリンク制御チャネルリソースの前記セットが共有無線周波数スペクトル帯域中にある、Ｃ２６に記載の装置。